(57)【要約】【課題】より消費電力を抑える電力制御装置等を提供する。【解決手段】ネットワーク３に接続する通信手段（１３）と脱着可能な外部接続手段（１１ｄ）を通して、当該通信手段（１３）からのデータを取得し（Ｓ１３）、データを取得する場合に、通信手段（１３）に電力を供給して、データを取得した後に、電力の供給を終了するように、外部接続手段（１１ｄ）を通して通信手段（１３）に電力を供給する電力供給手段（１１ａ）を制御する（Ｓ１０〜Ｓ１５）。【選択図】図８
2015228156.tif 000002
【特許請求の範囲】
【請求項１】
ネットワークに接続する通信手段と脱着可能な外部接続手段と、
前記外部接続手段を通して前記通信手段からのデータを取得するデータ取得手段と、
前記外部接続手段を通して前記通信手段に電力を供給する電力供給手段と、
前記データ取得手段がデータを取得する場合に、前記通信手段に電力を供給して、前記データ取得手段がデータを取得した後に、前記電力の供給を終了するように前記電力供給手段を制御する電源制御手段と、
を備えたことを特徴とする電力制御装置。
【請求項２】
請求項１に記載の電力制御装置において、
前記データ取得手段がデータを取得するデータ取得スケジュールを記憶する記憶手段を更に備え、
前記電源制御手段が、前記データ取得スケジュールに応じて、前記電力供給手段を制御することを特徴とする電力制御装置。
【請求項３】
請求項１または請求項２に記載の電力制御装置において、
前記電源制御手段が、前記データ取得手段が取得したデータを表示する表示手段に供給する電力を制御することを特徴とする電力制御装置。
【請求項４】
請求項３に記載の電力制御装置において、
前記電源制御手段が、前記表示手段にデータを表示する表示スケジュールに応じて、前記表示手段に供給する電力を制御することを特徴とする電力制御装置。
【請求項５】
データ取得手段が、ネットワークに接続する通信手段と脱着可能な外部接続手段を通して、当該通信手段からのデータを取得するデータ取得ステップと、
電力供給手段が、前記外部接続手段を通して前記通信手段に電力を供給する電力供給ステップと、
電源制御手段が、前記データ取得手段がデータを取得する場合に、前記通信手段に電力を供給して、前記データ取得手段がデータを取得した後に、前記電力の供給を終了するように前記電力供給手段を制御する電源制御ステップと、
を含むことを特徴とする電力供給制御方法。
【請求項６】
コンピュータに、
データ取得手段が、ネットワークに接続する通信手段と脱着可能な外部接続手段を通して、当該通信手段からのデータを取得するデータ取得ステップ、
電力供給手段が、前記外部接続手段を通して前記通信手段に電力を供給する電力供給ステップ、および、
電源制御手段が、前記データ取得手段がデータを取得する場合に、前記通信手段に電力を供給して、前記データ取得手段がデータを取得した後に、前記電力の供給を終了するように前記電力供給手段を制御する電源制御ステップとして実行させることを特徴とする電力制御装置用のプログラム。
【請求項７】
データを送信するサーバ装置と、
前記サーバ装置からネットワークを通して前記データを取得する際の電力を制御する電力制御装置と、
を備えた情報取得システムであって、
前記電力制御装置が、
前記ネットワークに接続する通信手段と脱着可能な外部接続手段と、
前記外部接続手段を通して前記通信手段からのデータを取得するデータ取得手段と、
前記外部接続手段を通して前記通信手段に電力を供給する電力供給手段と、
前記データ取得手段がデータを取得する場合に、前記通信手段に電力を供給して、前記データ取得手段がデータを取得した後に、前記電力の供給を終了するように前記電力供給手段を制御する電源制御手段と、
を有することを特徴とする情報取得システム。
【発明の詳細な説明】
【技術分野】
【０００１】
本発明は、データを取得するための電力制御装置、電力供給制御方法、電力制御装置用のプログラム、および、情報取得システムに関する。
【背景技術】
【０００２】
電車等の移動体の中や、街中の案内や広告等の電子看板において、表示内容を電気的に書き換えることができる電子ペーパが利用されている。例えば、特許文献１には、広告管理センタを、顧客の依頼に従って、交通機関及びその移動地域を特定し、かつ該交通機関に配した広告表示手段及び広告表示期間を特定して、該広告表示手段に顧客の提示した広告内容を送信して表示させるように構成した電子ポスタ表示システムが開示されている。
【先行技術文献】
【特許文献】
【０００３】
【特許文献１】特開２００４−１３８７６５号公報
【発明の概要】
【発明が解決しようとする課題】
【０００４】
しかしながら、特許文献１の技術では、電子ペーパ端末と広告管理センタとが接続できる状態であり、使用していない時でもネットワーク通信を行える状況であり、消費電力を抑えることができていない。
【０００５】
本発明は上記の問題点等に鑑みて為されたもので、その課題の一例は、より消費電力を抑える電力制御装置等を提供することを目的とする。
【課題を解決するための手段】
【０００６】
上記の課題を解決するために、請求項１に記載の発明は、ネットワークに接続する通信手段と脱着可能な外部接続手段と、前記外部接続手段を通して前記通信手段からのデータを取得するデータ取得手段と、前記外部接続手段を通して前記通信手段に電力を供給する電力供給手段と、前記データ取得手段がデータを取得する場合に、前記通信手段に電力を供給して、前記データ取得手段がデータを取得した後に、前記電力の供給を終了するように前記電力供給手段を制御する電源制御手段と、を備えたことを特徴とする。
【０００７】
また、請求項２に記載の発明は、請求項１に記載の電力制御装置において、前記データ取得手段がデータを取得するデータ取得スケジュールを記憶する記憶手段を更に備え、前記電源制御手段が、前記データ取得スケジュールに応じて、前記電力供給手段を制御することを特徴とする。
【０００８】
また、請求項３に記載の発明は、請求項１または請求項２に記載の電力制御装置において、前記電源制御手段が、前記データ取得手段が取得したデータを表示する表示手段に供給する電力を制御することを特徴とする。
【０００９】
また、請求項４に記載の発明は、請求項３に記載の電力制御装置において、前記電源制御手段が、前記表示手段にデータを表示する表示スケジュールに応じて、前記表示手段に供給する電力を制御することを特徴とする。
【００１０】
また、請求項５に記載の発明は、データ取得手段が、ネットワークに接続する通信手段と脱着可能な外部接続手段を通して、当該通信手段からのデータを取得するデータ取得ステップと、電力供給手段が、前記外部接続手段を通して前記通信手段に電力を供給する電力供給ステップと、電源制御手段が、前記データ取得手段がデータを取得する場合に、前記通信手段に電力を供給して、前記データ取得手段がデータを取得した後に、前記電力の供給を終了するように前記電力供給手段を制御する電源制御ステップと、を含むことを特徴とする。
【００１１】
また、請求項６に記載の発明は、コンピュータに、データ取得手段が、ネットワークに接続する通信手段と脱着可能な外部接続手段を通して、当該通信手段からのデータを取得するデータ取得ステップ、電力供給手段が、前記外部接続手段を通して前記通信手段に電力を供給する電力供給ステップ、および、電源制御手段が、前記データ取得手段がデータを取得する場合に、前記通信手段に電力を供給して、前記データ取得手段がデータを取得した後に、前記電力の供給を終了するように前記電力供給手段を制御する電源制御ステップとして実行させることを特徴とする。
【００１２】
また、請求項７に記載の発明は、データを送信するサーバ装置と、前記サーバ装置からネットワークを通して前記データを取得する際の電力を制御する電力制御装置と、を備えた情報取得システムであって、前記電力制御装置が、前記ネットワークに接続する通信手段と脱着可能な外部接続手段と、前記外部接続手段を通して前記通信手段からのデータを取得するデータ取得手段と、前記外部接続手段を通して前記通信手段に電力を供給する電力供給手段と、前記データ取得手段がデータを取得する場合に、前記通信手段に電力を供給して、前記データ取得手段がデータを取得した後に、前記電力の供給を終了するように前記電力供給手段を制御する電源制御手段と、を有することを特徴とする。
【発明の効果】
【００１３】
本発明によれば、外部と通信をしてデータを取得するときに、通信手段に供給する電源をＯＮにして、データの取得が終わった後に電源をＯＦＦにするので、電力が必要なときのみ電力が供給され、より消費電力を抑えることができる。
【図面の簡単な説明】
【００１４】
【図１】本発明の実施形態に係る情報取得システムの概要構成例を示す模式図である。
【図２】図１の情報表示端末装置の概要構成例を示すブロック図である。
【図３】図２の情報表示端末装置が表示するコンテンツファイルの一例を示す模式図である。
【図４】図２の情報表示端末装置の表示スケジュールの一例を示す模式図である。
【図５】図２の情報表示端末装置の電源スケジュールの一例を示す模式図である。
【図６】図１のサーバ装置の概要構成例を示すブロック図である。
【図７】図１の情報取得システムの動作例を示すフローチャートである。
【図８】図７の外部接続のための電源処理のサブルーチンを示すフローチャートである。
【図９】図７の表示処理のサブルーチンを示すフローチャートである。
【発明を実施するための形態】
【００１５】
以下、図面を参照して本発明の実施形態について説明する。なお、以下に説明する実施の形態は、情報取得システムに対して本発明を適用した場合の実施形態である。
【００１６】
［１．情報取得システムの構成および機能の概要］
まず、本発明の一実施形態に係る情報取得システムの構成および概要機能について、図１を用いて説明する。
【００１７】
図１は、本発明の実施形態に係る情報取得システムの概要構成例を示す模式図である。
【００１８】
図１に示すように、情報取得システム１は、案内や広告等の情報を表示する情報表示端末装置１０と、無線機５を介して情報表示端末装置１０に表示コンテンツを送信するサーバ装置２０と、を備える。
【００１９】
情報表示端末装置１０は、情報表示端末装置１０の電力を制御する電力制御装置１１と、サーバ装置２０からの取得したデータを表示する表示部１２と、サーバ装置２０との通信を行う通信部１３と、を有する。情報表示端末装置１０は、例えば、電車やバス等の移動体内の中吊りや壁面等に、表示器として設置される。
【００２０】
サーバ装置２０と、各無線機５とは、ＬＡＮ（Local Area Network）のようなネットワーク３を通して接続されている。各無線機５と、各情報表示端末装置１０とは、電波による交信を行う。例えば、各無線機５と各情報表示端末装置１０とは、２．４ＧＨｚ帯域の近距離無線通信により、５０ｍ〜１００ｍの範囲の交信を行う。なお、各無線機５と各情報表示端末装置１０とは、携帯電話等の移動体通信による交信を行ってもよい。また、ネットワーク３は、例えば、インターネット、専用通信回線（例えば、ＣＡＴＶ（Community Antenna Television）回線）、移動体通信網（基地局等を含む）でもよい。
【００２１】
無線機５は、基地局（アクセスポイント）であり、送信機能と受信機能とを有する。無線機５は、例えば、電車内の天井や壁に設置される。なお、無線機５は、工場等の施設（所定の範囲の一例）の天井や壁に設置されてもよい。また、無線機５は、移動体通信の基地局でもよい。
【００２２】
［２．情報表示端末装置１０およびサーバ装置２０の構成および機能］
（２．１  情報表示端末装置１０の構成および機能）
次に、情報表示端末装置１０の構成および機能について、図２から図５を用いて説明する。
【００２３】
図２は、情報表示端末装置１０の概要構成の一例を示すブロック図である。図３は、情報表示端末装置１０が表示するコンテンツファイルの一例を示す模式図である。図４は、情報表示端末装置１０の表示スケジュールの一例を示す模式図である。図５は、情報表示端末装置１０の電源スケジュールの一例を示す模式図である。
【００２４】
図２に示すように、コンピュータとして機能する情報表示端末装置１０は、情報表示端末装置１０の電力を制御する電力制御装置１１と、サーバ装置２０からの取得したデータを表示する表示部１２と、電力制御装置１１と脱着可能な通信部１３と、情報表示端末装置１０に電力を供給するバッテリ１４と、表示部１２を駆動させる表示ドライバ部１５と、を備えている。
【００２５】
電力制御装置１１は、通信部１３等に電力を供給するパワーマネジメントＩＣ１１ａ（Power Management Integrated Circuit）と、表示部１２への表示データを記憶する記憶部１１ｂと、パワーマネジメントＩＣ１１ａを制御するＣＰＵ１１ｃ（Central Processing Unit）と、を有する。
【００２６】
パワーマネジメントＩＣ１１ａは、電源管理用集積回路であり、昇降圧レギュレータ、ＤＣ-ＤＣコンバーター、電源制御等の機能を有する。
【００２７】
記憶部１１ｂは、例えば、フラッシュメモリ等の不揮発性メモリ等からなり、オペレーティングシステム等のプログラム、情報表示端末装置１０の端末ＩＤ等を記憶する。なお、記憶部１１ｂは、脱着可能なメモリカードでもよい。
【００２８】
さらに、記憶部１１ｂは、サーバ装置２０からの取得したデータを、表示コンテンツとして記憶する。記憶部１１ｂには、図３に示すように、所定のコンテンツ名を有するコンテンツファイルが記憶されている。例えば、コンテンツ名”contens_07_02”における”07”は、７時台のコンテンツを表し、”02”は、その時間帯におけるコンテンツ番号である。
【００２９】
また、図４に示すように、記憶部１１ｂは、表示部１２に表示させる表示コンテンツの表示スケジュールのデータベースを有する。例えば、時刻と、表示モードと、が記憶されている。表示モード”００”は、１時間に１回表示を更新するモード、表示モード”０１”は、３０秒毎に表示を更新するモードを示している。記憶部１１ｂは、１日の表示スケジュールが記憶されている。
【００３０】
時刻”６：００”、表示モード”００”の場合、６：００：００に表示コンテンツ”contens_06_01”の表示に１回更新される。時刻”７：００”、表示モード”０１”の場合、７：００：００に表示コンテンツ”contens_07_01”、７：００：３０に表示コンテンツ”contens_07_02”、７：０１：００に表示コンテンツ”contens_07_03”、・・・と、例えば、３０秒毎に表示が更新する。そして、表示コンテンツ”contens_07_20”の表示の次は、表示コンテンツ”contens_07_01”の表示に戻る。
【００３１】
図５に示すように、記憶部１１ｂは、通信部１３に供給する電力の電源スケジュールのデータベースを有する。１２：３０に１日１回、通信部１３に電力が供給され、電力制御装置１１は、サーバ装置２０との更新を行い、新しい表示コンテンツを取得する。また、表示スケジュールや電源スケジュールに変更があれば、電力制御装置１１は、サーバ装置２０から変更されたスケジュールを取得する。
【００３２】
また、電力制御装置１１は、時計機能を有し、現在時刻をＣＰＵ１１ｃが取得できるようになっている。
【００３３】
表示部１２（表示手段の一例）は、例えば、電子ペーパ用の素子等によって構成されている。表示部１２は、マイクロカプセル方式、電子粉流体方式、液晶方式、電気泳動方式等の電子ペーパである。なお、表示部１２は、ＥＬ素子等よって構成されてもよい。
【００３４】
通信部１３（ネットワークに接続する通信手段の一例）は、無線通信機能を有し、無線機５を通して、サーバ装置２０等との通信を制御する。通信部１３は、差し替えることにより、様々な通信方式に対応できる。
【００３５】
バッテリ１４は、リチウムイオン２次電池である。バッテリ１４は、パワーマネジメントＩＣ１１ａを介して、通信部１３に電力を供給する。また、バッテリ１４は、ＣＰＵ１１ｃ、表示ドライバ部１５等にも電力を供給する。
【００３６】
表示ドライバ部１５は、ＣＰＵを有し、電子ペーパの表示部１２に電圧を加えて表示を制御する。
【００３７】
さらに、電力制御装置１１は、通信部１３を脱着するためのコネクタ１１ｄと、バッテリ１４用のコネクタ１１ｅと、表示ドライバ部１５用のコネクタ１１ｆと、を有する。
【００３８】
コネクタ１１ｄ（通信手段と脱着可能な外部接続手段の一例）は、例えば、コンピュータ等の情報機器に周辺機器を接続するためのシリアルバスのコネクタで、バッテリ１４からの電力を供給するパワーラインＬ１と、データのやり取りを行うデータラインＬ２とを、を有する。
【００３９】
通信部１３と、電力制御装置１１とは、コネクタ１１ｄを介して脱着可能に接続されている。通信部１３と、パワーマネジメントＩＣ１１ａとは、コネクタ１１ｄを介してパワーラインＬ１により接続されている。通信部１３と、ＣＰＵ１１ｃとは、コネクタ１１ｄを介してデータラインＬ１により接続されている。
【００４０】
（２．２  サーバ装置２０の構成および機能）
次に、サーバ装置２０の構成および機能について、図６を用いて説明する。
【００４１】
図６は、サーバ装置２０の概要構成例を示すブロック図である。
【００４２】
図６に示すように、サーバ装置２０は、通信部２１と、記憶部２２と、表示部２３と、操作部２４と、入出力インターフェース部２５と、システム制御部２６と、を備えている。そして、システム制御部２６と入出力インターフェース部２５とは、システムバス２７を介して接続されている。
【００４３】
通信部２１は、ネットワーク３に接続して、無線機５を介して、情報表示端末装置１０との通信状態を制御するようになっている。
【００４４】
記憶部２２は、例えば、ハードディスクドライブ、シリコンディスクドライブ等により構成されており、オペレーティングシステムおよびサーバプログラム等の各種プログラムや地図情報等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００４５】
また、記憶部２２には、表示情報データベース２２ａ等が構築されている。
【００４６】
表示情報データベース２２ａには、各情報表示端末装置１０に表示させる表示情報が記憶されている。例えば、表示情報として、各情報表示端末装置１０の表示のコンテンツデータが、情報表示端末装置１０の端末ＩＤ等に関連付けられて、記憶されている。
【００４７】
表示部２３は、例えば、液晶表示素子またはＥＬ（Electro Luminescence）素子等によって構成されている。
【００４８】
操作部２４は、例えば、キーボードおよびマウス等によって構成されている。
【００４９】
入出力インターフェース部２５は、通信部２１等とシステム制御部２６との間のインターフェース処理を行うようになっている。
【００５０】
システム制御部２６は、ＣＰＵ２６ａ、ＲＯＭ（Read Only Memory）２６ｂ、ＲＡＭ（Random Access Memory）２４ｃ等により構成されている。
【００５１】
［３．情報取得システム１の動作］
次に、本発明の１実施形態に係る情報取得システム１の動作について図７から図９を用いて説明する。
【００５２】
図７は、情報取得システム１の動作例を示すフローチャートである。図８は、外部接続のための電源処理のサブルーチンを示すフローチャートである。図９は、表示処理のサブルーチンを示すフローチャートである。
【００５３】
（３．１  情報取得システム１の動作例）
図７に示すように、情報取得システム１は、ＯＳを起動する（ステップＳ１）。具体的には、情報表示端末装置１０の電源が入れられ、ＣＰＵ１１ｃは、記憶部１１ｂからＯＳを読み出し、起動する。
【００５４】
次に、情報取得システム１は、外部接続のための電源スケジュールを取得する（ステップＳ２）。具体的には、情報表示端末装置１０における電力制御装置１１のＣＰＵ１１ｃは、記憶部１１ｂから、図５に示すような外部接続のための電源スケジュールを取得する。
【００５５】
次に、情報取得システム１は、表示スケジュールを取得する（ステップＳ３）。具体的には、電力制御装置１１のＣＰＵ１１ｃが、記憶部１１ｂから、図４に示すような表示スケジュールを取得する。
【００５６】
なお、表示モードが”０１”の場合、ＣＰＵ１１ｃが、取得した時刻に対して１時間後まで、表示スケジュールの表示時刻に３０秒を加算していく表示スケジュールの表示時刻に展開する。
【００５７】
次に、情報取得システム１は、省電力モードになる（ステップＳ４）。具体的には、電力制御装置１１のＣＰＵ１１ｃが、できるだけ電力を使わない省電力モードで動作を行う。ＣＰＵ１１ｃが、パワーマネジメントＩＣ１１ａから電力の供給をできるだけ受けないようにする。
【００５８】
情報取得システム１は、現在時刻が電源時刻であるか否かを判定する（ステップＳ５）。具体的には、ＣＰＵ１１ｃが、現在時刻が、外部接続のための電源スケジュールの電源時刻と一致しているか否かを判定する。なお、電源時刻に対して所定の時間幅の中に現在時刻が入っているか否かを判定する。
【００５９】
現在時刻が電源時刻でない場合（ステップＳ５；ＮＯ）、情報取得システム１は、現在時刻が表示時刻であるか否かを判定する（ステップＳ６）。具体的には、ＣＰＵ１１ｃが、現在時刻が、表示スケジュールの表示時刻と一致しているか否かを判定する。なお、表示時刻に対して所定の時間幅の中に現在時刻が入っているか否かを判定する。
【００６０】
現在時刻が表示時刻でない場合（ステップＳ６；ＮＯ）、情報取得システム１は、ステップＳ５の処理に戻る。
【００６１】
現在時刻が、外部接続のための電源スケジュールの電源時刻、または、表示スケジュールの表示時刻になるまで、ＣＰＵ１１ｃが、できるだけ電力を使わない省電力モードで、ステップＳ５およびステップＳ６の処理を繰り返す。このように、電力制御装置１１がタイマ機能を有する。なお、現在時刻が、いずれかのスケジュールの時刻に適合しているかを判定するタイマ部を電力制御装置１１がＣＰＵ１１ｃとは別に備え、ステップＳ５またはステップＳ６でスケジュールの時刻になったら、ＣＰＵ１１ｃに十分な電力が供給されるようにしてもよい。
【００６２】
現在時刻が電源時刻である場合（ステップＳ５；ＹＥＳ）、情報取得システム１は、外部接続のための電源処理を行う（ステップＳ７）。具体的には、ＣＰＵ１１ｃが、外部接続のための電源処理のサブルーチンの処理を行う。そして、ＣＰＵ１１ｃが、外部接続のための電源処理後に、情報取得システム１は、ステップＳ６の処理を行う。なお、外部接続のための電源処理のサブルーチンについては後述する。
【００６３】
現在時刻が表示時刻である場合（ステップＳ６；ＹＥＳ）、情報取得システム１は、表示処理を行う（ステップＳ８）。具体的には、ＣＰＵ１１ｃが、表示処理のサブルーチンの処理を行う。そして、ＣＰＵ１１ｃが、表示処理後に、情報取得システム１は、ステップＳ５の処理に戻る。なお、表示処理のサブルーチンについては後述する。
【００６４】
なお、情報表示端末装置１０が切られるまで、ステップＳ５、ステップＳ６、ステップＳ７、および、ステップＳ８の処理を繰り返す。また、情報表示端末装置１０の電源ボタンが押された場合、ＣＰＵ１１ｃが、ＯＳを終了する処理をして、情報表示端末装置１０の電源を切ってもよい。
【００６５】
（３．２  外部接続のための電源処理のサブルーチン）
次に、外部接続のための電源処理のサブルーチンについて、図８を用いて説明する。
【００６６】
情報取得システム１は、省電力モードから復帰する（ステップＳ１０）。電力制御装置１１のＣＰＵ１１ｃが、省電力モードの状態から復帰する（省電力モードの解除）。ＣＰＵ１１ｃが、パワーマネジメントＩＣ１１ａから、通常モード用の電力の供給を受ける。
【００６７】
このように、電力制御装置１１は、前記データ取得手段がデータを取得する場合に、前記通信手段に電力を供給するように前記電力供給手段を制御する電源制御手段の一例として機能する。また、電力制御装置１１は、前記データ取得スケジュールに応じて、前記電力供給手段を制御する電源制御手段の一例として機能する。
【００６８】
次に、情報取得システム１は、外部接続電源をＯＮにする（ステップＳ１１）。具体的には、電力制御装置１１のＣＰＵ１１ｃが、パワーマネジメントＩＣ１１ａが通信部１３に電力を供給するように、パワーマネジメントＩＣ１１ａに指令をする。そして、通信部１３の電源が入り、通信部１３がサーバ装置２０と無線通信するように、ＣＰＵ１１ｃが、通信部１３に指令の信号を送信する。
【００６９】
このように、電力制御装置１１は、前記データ取得手段がデータを取得する場合に、前記通信手段に電力を供給するように前記電力供給手段を制御する電源制御手段の一例として機能する。また、電力制御装置１１は、前記データ取得スケジュールに応じて、前記電力供給手段を制御する電源制御手段の一例として機能する。
【００７０】
次に、情報取得システム１は、サーバ装置２０に接続する（ステップＳ１２）。具体的には、通信部１３が、サーバ装置２０に接続して、通信を開始する。ＣＰＵ１１ｃが、通信部１３を介して、情報表示端末装置１０の端末ＩＤと共に、コンテンツ要求の信号をサーバ装置２０に送信する。
【００７１】
サーバ装置２０は、端末ＩＤに基づき、表示情報データベース２２ａを参照して、情報表示端末装置１０用のコンテンツデータを読み出し、情報表示端末装置１０に送信する。
【００７２】
次に、情報取得システム１は、コンテンツを取得する（ステップＳ１３）。具体的には、通信部１３が通信を行い、サーバ装置２０から、情報表示端末装置１０用の表示のコンテンツデータを取得する。そして、ＣＰＵ１１ｃが、通信部１３からのコンテンツデータを、コネクタ１１ｄを通して取得する。そして、ＣＰＵ１１ｃが、図３に示すようなファイルを記憶部１１ｂに記憶する。
【００７３】
このように、電力制御装置１１は、前記外部接続手段を通して前記通信手段からのデータを取得するデータ取得手段の一例として機能する。
【００７４】
なお、通信部１３が、サーバ装置２０に接続したとき、情報表示端末装置１０は、外部接続のための電源スケジュールの電源時刻、および、表示スケジュールを取得してもよい。具体的には、ＣＰＵ１１ｃが、通信部１３を介して、情報表示端末装置１０の端末ＩＤと共に、スケジュールの変更があるかを問い合わせる信号をサーバ装置２０に送信する。スケジュールの変更がある場合、ＣＰＵ１１ｃが、サーバ装置２０から、変更がある情報表示端末装置１０用の外部接続のための電源スケジュールの電源時刻、および、表示スケジュールを取得する。そして、ＣＰＵ１１ｃが、図４または図５に示すようなスケジュールを記憶部１１ｂに記憶する。
【００７５】
次に、情報取得システム１は、外部接続電源をＯＦＦにする（ステップＳ１４）。具体的には、電力制御装置１１のＣＰＵ１１ｃが、パワーマネジメントＩＣ１１ａが通信部１３に電力を供給停止するように、パワーマネジメントＩＣ１１ａに指令をする。そして、パワーマネジメントＩＣ１１ａが、電力の供給を停止して、通信部１３の電源がＯＦＦにされる。
【００７６】
このように、電力制御装置１１は、前記データ取得手段がデータを取得した後に、前記電力の供給を終了するように前記電力供給手段を制御する電源制御手段の一例として機能する。また、電力制御装置１１は、前記データ取得スケジュールに応じて、前記電力供給手段を制御する電源制御手段の一例として機能する。
【００７７】
次に、情報取得システム１は、省電力モードになる（ステップＳ１５）。ステップＳ４のように、ＣＰＵ１１ｃが、省電力モードで動作を行う。
【００７８】
このように、電力制御装置１１は、前記データ取得手段がデータを取得した後に、前記電力の供給を終了するように前記電力供給手段を制御する電源制御手段の一例として機能する。また、電力制御装置１１は、前記データ取得スケジュールに応じて、前記電力供給手段を制御する電源制御手段の一例として機能する。
【００７９】
（３．３  表示処理のサブルーチン）
次に、表示処理のサブルーチンについて、図９を用いて説明する。
【００８０】
図９に示すように、情報取得システム１は、省電力モードから復帰する（ステップＳ２０）。具体的には、電力制御装置１１のＣＰＵ１１ｃが、ステップＳ１０のように省電力モードの状態から復帰する（省電力モードの解除）。そして、ＣＰＵ１１ｃが、パワーマネジメントＩＣ１１ａが表示ドライバ部１５に電力を供給するように、パワーマネジメントＩＣ１１ａに指令をする。表示ドライバ部１５が、表示部１２の電子ペーパを書き換えることができる状態になる。
【００８１】
このように、電力制御装置１１は、前記データ取得手段が取得したデータを表示する表示手段に供給する電力を制御する電源制御手段の一例として機能する。また、電力制御装置１１は、前記表示手段にデータを表示する表示スケジュールに応じて、前記表示手段に供給する電力を制御する電源制御手段の一例として機能する。
【００８２】
次に、情報取得システム１は、コンテンツを表示する（ステップＳ２１）。具体的には、ＣＰＵ１１ｃが、現在時刻に対応した表示のコンテンツのファイルを記憶部１１ｂから読み出す。ＣＰＵ１１ｃが、読み出した表示のコンテンツのファイルを表示ドライバ部１５に送信する。表示ドライバ部１５が、受信した表示のコンテンツに従い、表示部１２の電子ペーパの内容を書き換える。
【００８３】
情報取得システム１は、省電力モードになる（ステップＳ２２）。具体的には、ＣＰＵ１１ｃが、パワーマネジメントＩＣ１１ａが表示ドライバ部１５に電力の供給を停止するように、パワーマネジメントＩＣ１１ａに指令をする。パワーマネジメントＩＣ１１ａが表示ドライバ部１５への電力の供給を停止する。そして、ステップＳ４のように、ＣＰＵ１１ｃが、省電力モードで動作を行う。
【００８４】
このように、電力制御装置１１は、前記データ取得手段が取得したデータを表示する表示手段に供給する電力を制御する電源制御手段の一例として機能する。また、電力制御装置１１は、前記表示手段にデータを表示する表示スケジュールに応じて、前記表示手段に供給する電力を制御する電源制御手段の一例として機能する。
【００８５】
なお、ステップＳ５およびステップＳ６の処理において、判定の組み合わせに応じたフラグを設定し、このフラグに基づき、一貫して外部接続のための電源処理、および、表示処理を行ってもよい。例えば、判定の組み合わせに応じたフラグにより、電源処理を行うか、表示処理を行うか、電源処理および表示処理を行うかを振り分けてもよい。
【００８６】
また、表示部１２の表示の更新が所定時間（例えば１分）内であるならば、ＣＰＵ１１ｃが、表示ドライバ部１５を省電力モードにしなくてもよい。また、表示モードが”０１”の場合、ＣＰＵ１１ｃが、表示ドライバ部１５を省電力モードにしなくてもよい。
【００８７】
以上、本実施形態によれば、サーバ装置２０のような外部と通信をしてデータを取得するときに、通信部１３に供給する電源をＯＮにして、データの取得が終わった後に電源をＯＦＦにするので、電力が必要なときのみ電力が供給され、消費電力を抑えることができる。また、通信部１３と電力制御装置１１とは脱着可能であるので、異なる通信方式の通信部１３を差し替えることにより、容易に通信方式が選択できる。また、柔軟に通信方式を変更できるため、開発工数を減らすことができる。
【００８８】
また、外部からデータを取得するデータ取得スケジュールの一例である電源スケジュールを記憶する記憶部１１ｂを備え、電源スケジュールに応じて、パワーマネジメントＩＣ１１ａを制御する場合、データを取得する電源スケジュールに合わせて、電力を通信部１３に供給するので、バッテリ１４の消費電力を抑えることができる。
【００８９】
また、取得したデータを表示する表示手段に供給する電力を制御する場合、バッテリ１４の消費電力をより抑えることができる。
【００９０】
また、表示部１２にデータを表示する表示スケジュールに応じて、表示部１２に供給する電力を制御する場合、データを表示する表示スケジュールに合わせて、電力を表示部１２に供給するので、バッテリ１４の消費電力を抑えることができる。
【００９１】
なお、通信手段から取得するデータは、静止画の表示コンテンツに限らず、音声データ、動画データ、ネットワークを介して取得するデータならばよい。
【００９２】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００９３】
１：情報取得システム
３：ネットワーク
１０：情報表示端末装置
１１：電力制御装置
１１ａ：パワーマネジメントＩＣ（電力供給手段）
１１ｂ：記憶部（記憶手段）
１１ｃ：ＣＰＵ１１ｃ（電源制御手段、データ取得手段）
１１ｄ：コネクタ（外部接続手段）
１２：表示部（表示手段）
１３：通信部（通信手段）
１４：バッテリ（電源）
２０：サーバ装置
【図１】
2015228156.tif 000003
【図２】
2015228156.tif 000004
【図３】
2015228156.tif 000005
【図４】
2015228156.tif 000006
【図５】
2015228156.tif 000007
【図６】
2015228156.tif 000008
【図７】
2015228156.tif 000009
【図８】
2015228156.tif 000010
【図９】
2015228156.tif 000011